(57)【要約】【課題】光源から射出される複数の光束のビームピッチを容易に精度良く調整することができる光源装置を提供する。【解決手段】  光源を挟んで光学ハウジングの外壁１２０ａにねじ止めされ、光源を外壁１２０ａに押しつけるためのバックプレート７２ａを有している。このバックプレートには、外壁の嵌合部に光源が嵌合され、２つのねじ穴のそれぞれにねじの一部が螺合された状態で、バックプレート７２ａをＺ軸方向にスライドさせて着脱するための３つの切れ込みが設けられている。そこで、バックプレートを外壁にねじ止めする際に、バックプレートにねじがあたることを防止でき、光源の狙いではない回転を抑制することができる。【選択図】図２３
2011053497.tif 000002
【特許請求の範囲】
【請求項１】
ステムに複数の発光部がマウントされている光源と；
前記光源が嵌合される開口部、及び複数のねじ穴が形成されている保持板と；
前記光源を挟んで前記保持板にねじ止めされ、前記光源を前記保持板に押しつけるための留め板と；を備え、
前記留め板には、前記開口部に前記光源が嵌合され、前記複数のねじ穴のそれぞれにねじの一部が螺合された状態の前記保持板に対して、該留め板をねじの締結方向に直交する一の方向にスライドさせて着脱するための複数の切れ込みが設けられていることを特徴とする光源装置。
【請求項２】
前記複数の切れ込みは、前記スライドの際に、前記光源との干渉を避けるための光源用切れ込み、前記複数のねじ穴のそれぞれに一部が螺合された複数のねじとの干渉を避けるための複数のねじ用切れ込みを含むことを特徴とする請求項１に記載の光源装置。
【請求項３】
前記光源は、前記複数の発光部のそれぞれに個別に駆動電流を外部から供給するための複数の端子を有し、
前記光源用切れ込みは、前記保持板と前記光源の端子とが非接触となるように形成されていることを特徴とする請求項２に記載の光源装置。
【請求項４】
前記複数のねじ穴は、前記開口部の一側に形成された第１のねじ穴と、前記開口部の他側に形成された第２のねじ穴とを含み、
前記一の方向は、前記第１のねじ穴と前記第２のねじ穴とを結ぶ直線の方向に対して直交していることを特徴とする請求項１〜３のいずれか一項に記載の光源装置。
【請求項５】
前記留め板は、前記ステムに対して、面接触、線接触、あるいは点接触していることを特徴とする請求項１〜４のいずれか一項に記載の光源装置。
【請求項６】
前記留め板における前記ステムとの接触部は、前記光源の中心を通り、前記一の方向に平行な軸に対して対称であることを特徴とする請求項５に記載の光源装置。
【請求項７】
前記留め板の前記一の方向へのスライドを案内するための溝が形成されている案内部材を更に備えることを特徴とする請求項１〜６のいずれか一項に記載の光源装置。
【請求項８】
前記溝は、前記留め板の底面が当接され、前記留め板の位置を規定する面を有していることを特徴とする請求項７に記載の光源装置。
【請求項９】
前記案内部材は、その溝に前記留め板の一端が係合される第１の溝部材と、その溝に前記留め板の他端が係合される第２の溝部材とを有することを特徴とする請求項７又は８に記載の光源装置。
【請求項１０】
前記案内部材は、前記保持板に固定されていることを特徴とする請求項７〜９のいずれか一項に記載の光源装置。
【請求項１１】
光束により被走査面を走査する光走査装置であって、
請求項１〜１０のいずれか一項に記載の光源装置と；
前記光源装置からの光束を前記被走査面上に集光するとともに、前記被走査面上の光スポットを主走査方向に移動させる光学系と；を備える光走査装置。
【請求項１２】
少なくとも１つの像担持体と；
前記少なくとも１つの像担持体を画像情報に応じて変調された光束により走査する少なくとも１つの請求項１１に記載の光走査装置と；を備える画像形成装置。
【請求項１３】
前記画像情報は、多色の画像情報であることを特徴とする請求項１２に記載の画像形成装置。
【発明の詳細な説明】
【技術分野】
【０００１】
本発明は、光源装置、光走査装置及び画像形成装置に係り、更に詳しくは、複数の光束を射出する光源装置、該光源装置を有する光走査装置、及び該光走査装置を備える画像形成装置に関する。
【背景技術】
【０００２】
カールソンプロセスを用いて画像を形成する画像形成装置としては、例えば、回転可能な感光体ドラムの表面を走査して、感光体ドラムの表面に潜像を形成し、この潜像を可視化して得られたトナー像を、記録媒体としての用紙上に定着させることにより、画像を形成する画像形成装置が知られている。近年、この種の画像形成装置は、オンデマンドプリンティングシステムとして簡易印刷によく用いられるようになり、画像の高密度化及び画像出力の高速化への要求が一層高まっている。
【０００３】
そこで、最近では、複数のレーザ光を射出することができるマルチビーム・レーザダイオードや、複数の発光部がモノリシックに２次元的に配列された面発光レーザアレイなどの光源を備え、該光源から射出される複数のレーザ光で被走査面を同時に走査することができる画像形成装置が提案されている。
【０００４】
この種の画像形成装置に用いられる光走査装置では、複数のレーザ光を射出する光源を、射出方向に平行な軸回りに回動することで、ビームピッチ（走査線間隔）の調整が行われている。このビームピッチの調整方法に関しては、種々の技術が提案されている（例えば特許文献１及び特許文献２参照）。
【発明の概要】
【発明が解決しようとする課題】
【０００５】
しかしながら、従来の装置では、ビームピッチを調整した後、留め部材を用いて光源を固定する際、例えば、留め部材を光学ハウジングにねじ止めする場合、ねじが留め部材にあたり、光源に狙いではない（不要な）回転が発生するおそれがあった。つまり、所望の値に調整されたビームピッチがねじ止めの際に変化するおそれがあった。
【０００６】
本発明は、かかる事情の下になされたもので、その第１の目的は、複数の光束のビームピッチを容易に精度良く調整することができる光源装置を提供することにある。
【０００７】
また、本発明の第２の目的は、高精度の光走査を行うことができる光走査装置を提供することにある。
【０００８】
また、本発明の第３の目的は、高品質の画像を形成することができる画像形成装置を提供することにある。
【課題を解決するための手段】
【０００９】
本発明は、第１の観点からすると、ステムに複数の発光部がマウントされている光源と；前記光源が嵌合される開口部、及び複数のねじ穴が形成されている保持板と；前記光源を挟んで前記保持板にねじ止めされ、前記光源を前記保持板に押しつけるための留め板と；を備え、前記留め板には、前記開口部に前記光源が嵌合され、前記複数のねじ穴のそれぞれにねじの一部が螺合された状態の前記保持板に対して、該留め板をねじの締結方向に直交する一の方向にスライドさせて着脱するための複数の切れ込みが設けられていることを特徴とする光源装置である。
【００１０】
これによれば、光源から射出される複数の光束のビームピッチを容易に精度良く調整することが可能となる。
【００１１】
本発明は、第２の観点からすると、光束により被走査面を主走査方向に走査する光走査装置であって、本発明の光源装置と；前記光源装置からの光束を前記被走査面上に集光するとともに、前記被走査面上の光スポットを主走査方向に移動させる光学系と；を備える光走査装置である。
【００１２】
これによれば、本発明の光源装置を備えているため、高精度の光走査を行うことが可能となる。
【００１３】
本発明は、第３の観点からすると、少なくとも１つの像担持体と；前記少なくとも１つの像担持体を画像情報に応じて変調された光束により走査する少なくとも１つの本発明の光走査装置と；を備える画像形成装置である。
【００１４】
これによれば、本発明の光走査装置を備えているため、結果として、高品質の画像を形成することができる。
【図面の簡単な説明】
【００１５】
【図１】本発明の一実施形態に係るカラープリンタの概略構成を説明するための図である。
【図２】光走査装置の概略構成を説明するための図である。
【図３】光走査装置の偏向器前光学系１０２Ａを説明するための図である。
【図４】光走査装置の偏向器前光学系１０２Ｂを説明するための図である。
【図５】光走査装置の走査光学系を説明するための図である。
【図６】図６（Ａ）〜図６（Ｃ）は、それぞれ光源の概略構成を説明するための図である。
【図７】光源の発光部を説明するための図である。
【図８】光学ハウジングのコアハウジングとサブハウジングを説明するための図である。
【図９】コアハウジングに収容される光学素子を説明するための図である。
【図１０】コアハウジングの外壁１２０ａを説明するための図である。
【図１１】コアハウジングの外壁１２０ｂを説明するための図である。
【図１２】Ｌ１、Ｄ１、Ｄ２、Ｄ３を説明するための図である。
【図１３】側壁１３１の構造を説明するための図である。
【図１４】側壁１３２の構造を説明するための図である。
【図１５】側壁１３３の構造を説明するための図である。
【図１６】側壁１３４の構造を説明するための図である。
【図１７】バックプレートを説明するための図である。
【図１８】ソケットを説明するための図である。
【図１９】光源２２００ａにソケットが装着された状態を説明するための図である。
【図２０】光源２２００ａが嵌合部に挿入された状態を説明するための図である。
【図２１】ねじ穴１２２ｂ及びねじ穴１２２ｄにねじの先端が螺合された状態を説明するための図である。
【図２２】図２２（Ａ）及び図２２（Ｂ）は、それぞれソケットの回動による副走査対応方向に関する２つの発光部間の距離の調整を説明するための図である。
【図２３】バックプレート７２ａの装着を説明するための図である。
【図２４】図２４（Ａ）及び図２４（Ｂ）は、それぞれ側壁１３１におけるバックプレート７２ａの位置決めを説明するための図である。
【図２５】側壁１３２におけるバックプレート７２ａの位置決めを説明するための図である。
【図２６】バックプレート７２ａが装着された状態を説明するための図である。
【図２７】図２６のＡ−Ａ断面図である。
【図２８】図２６のＢ−Ｂ断面図である。
【図２９】光源２２００ａの取り付け完了の状態を説明するための図である。
【図３０】光源２２００ｂが嵌合部に挿入された状態を説明するための図である。
【図３１】ねじ穴１２２ａ及びねじ穴１２２ｃにねじの先端が螺合された状態を説明するための図である。
【図３２】バックプレート７２ｂの装着を説明するための図である。
【図３３】側壁１３１におけるバックプレート７２ｂの位置決めを説明するための図である。
【図３４】側壁１３２におけるバックプレート７２ｂの位置決めを説明するための図である。
【図３５】バックプレート７２ｂが装着された状態を説明するための図である。
【図３６】図３５のＡ−Ａ断面図である。
【図３７】図３５のＢ−Ｂ断面図である。
【図３８】光源２２００ｂの取り付け完了の状態を説明するための図である。
【図３９】光源２２００ｃ及び光源２２００ｄの取り付け完了の状態を説明するための図である。
【図４０】コアハウジングとサブハウジングの一体化を説明するための図である。
【図４１】側壁１３１の変形例を説明するための図（その１）である。
【図４２】側壁１３１の変形例を説明するための図（その２）である。
【図４３】側壁１３２の変形例を説明するための図（その１）である。
【図４４】側壁１３２の変形例を説明するための図（その２）である。
【発明を実施するための形態】
【００１６】
以下、本発明の一実施形態を図１〜図４０に基づいて説明する。図１には、一実施形態に係るカラープリンタ２０００の概略構成が示されている。
【００１７】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電チャージャ（２０３２ａ、２０３２ｂ、２０３２ｃ、２０３２ｄ）、４つの現像ローラ（２０３３ａ、２０３３ｂ、２０３３ｃ、２０３３ｄ）、４つのトナーカートリッジ（２０３４ａ、２０３４ｂ、２０３４ｃ、２０３４ｄ）、転写ベルト２０４０、定着ローラ２０５０、給紙コロ２０５４、レジストローラ対２０５６、排紙ローラ２０５８、給紙トレイ２０６０、排紙トレイ２０７０、通信制御装置２０８０、及び上記各部を統括的に制御するプリンタ制御装置２０９０などを備えている。
【００１８】
なお、本明細書では、ＸＹＺ３次元直交座標系において、各感光体ドラムの長手方向に沿った方向をＹ軸方向、４つの感光体ドラムの配列方向に沿った方向をＸ軸方向として説明する。
【００１９】
通信制御装置２０８０は、ネットワークなどを介した上位装置（例えばパソコン）との双方向の通信を制御する。
【００２０】
各感光体ドラムはいずれも、その表面に感光層が形成されている。すなわち、各感光体ドラムの表面がそれぞれ被走査面である。なお、各感光体ドラムは、不図示の回転機構により、図１における面内で矢印方向に回転するものとする。
【００２１】
感光体ドラム２０３０ａの表面近傍には、感光体ドラム２０３０ａの回転方向に沿って、帯電装置２０３２ａ、現像ローラ２０３３ａ、クリーニングユニット２０３１ａが配置されている。
【００２２】
感光体ドラム２０３０ａ、帯電チャージャ２０３２ａ、現像ローラ２０３３ａ、トナーカートリッジ２０３４ａ、及びクリーニングユニット２０３１ａは、組として使用され、ブラックの画像を形成する画像形成ステーション（以下では、便宜上「Ｋステーション」ともいう）を構成する。
【００２３】
感光体ドラム２０３０ｂの表面近傍には、感光体ドラム２０３０ｂの回転方向に沿って、帯電装置２０３２ｂ、現像ローラ２０３３ｂ、クリーニングユニット２０３１ｂが配置されている。
【００２４】
感光体ドラム２０３０ｂ、帯電チャージャ２０３２ｂ、現像ローラ２０３３ｂ、トナーカートリッジ２０３４ｂ、及びクリーニングユニット２０３１ｂは、組として使用され、シアンの画像を形成する画像形成ステーション（以下では、便宜上「Ｃステーション」ともいう）を構成する。
【００２５】
感光体ドラム２０３０ｃの表面近傍には、感光体ドラム２０３０ｃの回転方向に沿って、帯電装置２０３２ｃ、現像ローラ２０３３ｃ、クリーニングユニット２０３１ｃが配置されている。
【００２６】
感光体ドラム２０３０ｃ、帯電チャージャ２０３２ｃ、現像ローラ２０３３ｃ、トナーカートリッジ２０３４ｃ、及びクリーニングユニット２０３１ｃは、組として使用され、マゼンタの画像を形成する画像形成ステーション（以下では、便宜上「Ｍステーション」ともいう）を構成する。
【００２７】
感光体ドラム２０３０ｄの表面近傍には、感光体ドラム２０３０ｄの回転方向に沿って、帯電装置２０３２ｄ、現像ローラ２０３３ｄ、クリーニングユニット２０３１ｄが配置されている。
【００２８】
感光体ドラム２０３０ｄ、帯電チャージャ２０３２ｄ、現像ローラ２０３３ｄ、トナーカートリッジ２０３４ｄ、及びクリーニングユニット２０３１ｄは、組として使用され、イエローの画像を形成する画像形成ステーション（以下では、便宜上「Ｙステーション」ともいう）を構成する。
【００２９】
各帯電チャージャは、対応する感光体ドラムの表面をそれぞれ均一に帯電させる。
【００３０】
光走査装置２０１０は、上位装置からの多色の画像情報（ブラック画像情報、シアン画像情報、マゼンタ画像情報、イエロー画像情報）に基づいて、各色毎に変調された光束を、対応する帯電された感光体ドラムの表面にそれぞれ照射する。これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。なお、この光走査装置２０１０の構成については後述する。
【００３１】
トナーカートリッジ２０３４ａにはブラックトナーが格納されており、該トナーは現像ローラ２０３３ａに供給される。トナーカートリッジ２０３４ｂにはシアントナーが格納されており、該トナーは現像ローラ２０３３ｂに供給される。トナーカートリッジ２０３４ｃにはマゼンタトナーが格納されており、該トナーは現像ローラ２０３３ｃに供給される。トナーカートリッジ２０３４ｄにはイエロートナーが格納されており、該トナーは現像ローラ２０３３ｄに供給される。
【００３２】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（以下、便宜上「トナー画像」という）は、感光体ドラムの回転に伴って転写ベルト２０４０の方向に移動する。
【００３３】
イエロー、マゼンタ、シアン、ブラックの各トナー画像は、所定のタイミングで転写ベルト２０４０上に順次転写され、重ね合わされてカラー画像が形成される。
【００３４】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚づつ取り出し、レジストローラ対２０５６に搬送する。該レジストローラ対２０５６は、所定のタイミングで記録紙を転写ベルト２０４０に向けて送り出す。これにより、転写ベルト２０４０上のカラー画像が記録紙に転写される。ここで転写された記録紙は、定着ローラ２０５０に送られる。
【００３５】
定着ローラ２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次スタックされる。
【００３６】
各クリーニングユニットは、対応する感光体ドラムの表面に残ったトナー（残留トナー）を除去する。残留トナーが除去された感光体ドラムの表面は、再度対応する帯電チャージャに対向する位置に戻る。
【００３７】
次に、前記光走査装置２０１０の構成について説明する。
【００３８】
光走査装置２０１０は、一例として図２〜図５に示されるように、４つの光源（２２００ａ、２２００ｂ、２２００ｃ、２２００ｄ）、４つのカップリングレンズ（２２０１ａ、２２０１ｂ、２２０１ｃ、２２０１ｄ）、４つの開口板（２２０２ａ、２２０２ｂ、２２０２ｃ、２２０２ｄ）、４つのシリンドリカルレンズ（２２０４ａ、２２０４ｂ、２２０４ｃ、２２０４ｄ）、ポリゴンミラー２１０４、４つのｆθレンズ（２１０５ａ、２１０５ｂ、２１０５ｃ、２１０５ｄ）、８つの折り返しミラー（２１０６ａ、２１０６ｂ、２１０６ｃ、２１０６ｄ、２１０８ａ、２１０８ｂ、２１０８ｃ、２１０８ｄ）、４つのトロイダルレンズ（２１０７ａ、２１０７ｂ、２１０７ｃ、２１０７ｄ）、４つの光検知センサ（２２０５ａ、２２０５ｂ、２２０５ｃ、２２０５ｄ）、４つの光検知用ミラー（２２０７ａ、２２０７ｂ、２２０７ｃ、２２０７ｄ）、及び不図示の走査制御装置などを備えている。そして、これらは、光学ハウジング２３００（図２〜図４では図示省略、図５参照）の所定位置に組み付けられている。
【００３９】
なお、以下では、便宜上、主走査方向に対応する方向を「主走査対応方向」と略述し、副走査方向に対応する方向を「副走査対応方向」と略述する。
【００４０】
ここでは、光源２２００ｂと光源２２００ｃは、Ｘ軸方向に関して離れた位置に配置されている。そして、光源２２００ａは光源２２００ｂの−Ｚ側に配置されている。また、光源２２００ｄは光源２２００ｃの−Ｚ側に配置されている。
【００４１】
そして、光源２２００ａ及び光源２２００ｂから射出された光束がポリゴンミラー２１０４に向かう方向を「ｗ１方向」、光源２２００ｃ及び光源２２００ｄから射出された光束がポリゴンミラー２１０４に向かう方向を「ｗ２方向」とする。
【００４２】
また、Ｚ軸方向及びｗ１方向のいずれにも直交する方向を「ｍ１方向」、Ｚ軸方向及びｗ２方向のいずれにも直交する方向を「ｍ２方向」とする。
【００４３】
そこで、光源２２００ａ及び光源２２００ｂでは、「ｍ１方向」が主走査対応方向であり、光源２２００ｃ及び光源２２００ｄでは、「ｍ２方向」が主走査対応方向である。なお、光源２２００ａ及び光源２２００ｂにおける副走査対応方向、光源２２００ｃ及び光源２２００ｄにおける副走査対応方向は、いずれもＺ軸方向と同じ方向である。
【００４４】
カップリングレンズ２２０１ａは、光源２２００ａから射出された光束の光路上に配置され、該光束を略平行光束とする。
【００４５】
カップリングレンズ２２０１ｂは、光源２２００ｂから射出された光束の光路上に配置され、該光束を略平行光束とする。
【００４６】
カップリングレンズ２２０１ｃは、光源２２００ｃから射出された光束の光路上に配置され、該光束を略平行光束とする。
【００４７】
カップリングレンズ２２０１ｄは、光源２２００ｄから射出された光束の光路上に配置され、該光束を略平行光束とする。
【００４８】
開口板２２０２ａは、開口部を有し、カップリングレンズ２２０１ａを介した光束を整形する。
【００４９】
開口板２２０２ｂは、開口部を有し、カップリングレンズ２２０１ｂを介した光束を整形する。
【００５０】
開口板２２０２ｃは、開口部を有し、カップリングレンズ２２０１ｃを介した光束を整形する。
【００５１】
開口板２２０２ｄは、開口部を有し、カップリングレンズ２２０１ｄを介した光束を整形する。
【００５２】
シリンドリカルレンズ２２０４ａは、開口板２２０２ａの開口部を通過した光束を、ポリゴンミラー２１０４の偏向反射面近傍にＺ軸方向に関して結像する。
【００５３】
シリンドリカルレンズ２２０４ｂは、開口板２２０２ｂの開口部を通過した光束を、ポリゴンミラー２１０４の偏向反射面近傍にＺ軸方向に関して結像する。
【００５４】
シリンドリカルレンズ２２０４ｃは、開口板２２０２ｃの開口部を通過した光束を、ポリゴンミラー２１０４の偏向反射面近傍にＺ軸方向に関して結像する。
【００５５】
シリンドリカルレンズ２２０４ｄは、開口板２２０２ｄの開口部を通過した光束を、ポリゴンミラー２１０４の偏向反射面近傍にＺ軸方向に関して結像する。
【００５６】
２つのカップリングレンズ（２２０１ａ、２２０１ｂ）と２つの開口板（２２０２ａ、２２０２ｂ）と２つのシリンドリカルレンズ（２２０４ａ、２２０４ｂ）とからなる光学系は、偏向器前光学系１０２Ａとしてユニット化されている。
【００５７】
同様に、２つのカップリングレンズ（２２０１ｃ、２２０１ｄ）と２つの開口板（２２０２ｃ、２２０２ｄ）と２つのシリンドリカルレンズ（２２０４ｃ、２２０４ｄ）とからなる光学系は、偏向器前光学系１０２Ｂとしてユニット化されている。
【００５８】
ポリゴンミラー２１０４は、２段構造の４面鏡を有し、各鏡がそれぞれ偏向反射面となる。そして、１段目（下段）の４面鏡ではシリンドリカルレンズ２２０４ａからの光束及びシリンドリカルレンズ２２０４ｄからの光束がそれぞれ偏向され、２段目（上段）の４面鏡ではシリンドリカルレンズ２２０４ｂからの光束及びシリンドリカルレンズ２２０４ｃからの光束がそれぞれ偏向されるように配置されている。なお、１段目の４面鏡及び２段目の４面鏡は、互いに位相が４５°ずれて回転し、書き込み走査は１段目と２段目とで交互に行われる。
【００５９】
ここでは、シリンドリカルレンズ２２０４ａ及びシリンドリカルレンズ２２０４ｂからの光束はポリゴンミラー２１０４の−Ｘ側に偏向され、シリンドリカルレンズ２２０４ｃ及びシリンドリカルレンズ２２０４ｄからの光束はポリゴンミラー２１０４の＋Ｘ側に偏向される。
【００６０】
各ｆθレンズはそれぞれ、ポリゴンミラー２１０４の回転に伴って、対応する感光体ドラム面上で光スポットが主走査方向に等速で移動するようなパワーを有する非円弧面形状を有している。
【００６１】
ｆθレンズ２１０５ａ及びｆθレンズ２１０５ｂは、ポリゴンミラー２１０４の−Ｘ側に配置され、ｆθレンズ２１０５ｃ及びｆθレンズ２１０５ｄは、ポリゴンミラー２１０４の＋Ｘ側に配置されている。
【００６２】
そして、ｆθレンズ２１０５ａとｆθレンズ２１０５ｂはＺ軸方向に積層され、ｆθレンズ２１０５ａは１段目の４面鏡に対向し、ｆθレンズ２１０５ｂは２段目の４面鏡に対向している。また、ｆθレンズ２１０５ｃとｆθレンズ２１０５ｄはＺ軸方向に積層され、ｆθレンズ２１０５ｃは２段目の４面鏡に対向し、ｆθレンズ２１０５ｄは１段目の４面鏡に対向している。
【００６３】
そこで、ポリゴンミラー２１０４で偏向されたシリンドリカルレンズ２２０４ａからの光束は、ｆθレンズ２１０５ａ、折返しミラー２１０６ａ、トロイダルレンズ２１０７ａ、及び折返しミラー２１０８ａを介して、感光体ドラム２０３０ａに照射され、光スポットが形成される。この光スポットは、ポリゴンミラー２１０４の回転に伴って感光体ドラム２０３０ａの長手方向に移動する。すなわち、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００６４】
また、ポリゴンミラー２１０４で偏向されたシリンドリカルレンズ２２０４ｂからの光束は、ｆθレンズ２１０５ｂ、折り返しミラー２１０６ｂ、トロイダルレンズ２１０７ｂ、及び折返しミラー２１０８ｂを介して、感光体ドラム２０３０ｂに照射され、光スポットが形成される。この光スポットは、ポリゴンミラー２１０４の回転に伴って感光体ドラム２０３０ｂの長手方向に移動する。すなわち、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００６５】
また、ポリゴンミラー２１０４で偏向されたシリンドリカルレンズ２２０４ｃからの光束は、ｆθレンズ２１０５ｃ、折り返しミラー２１０６ｃ、トロイダルレンズ２１０７ｃ、及び折返しミラー２１０８ｃを介して、感光体ドラム２０３０ｃに照射され、光スポットが形成される。この光スポットは、ポリゴンミラー２１０４の回転に伴って感光体ドラム２０３０ｃの長手方向に移動する。すなわち、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【００６６】
また、ポリゴンミラー２１０４で偏向されたシリンドリカルレンズ２２０４ｄからの光束は、ｆθレンズ２１０５ｄ、折り返しミラー２１０６ｄ、トロイダルレンズ２１０７ｄ、及び折り返しミラー２１０８ｄを介して、感光体ドラム２０３０ｄに照射され、光スポットが形成される。この光スポットは、ポリゴンミラー２１０４の回転に伴って感光体ドラム２０３０ｄの長手方向に移動する。すなわち、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【００６７】
なお、各折り返しミラーは、ポリゴンミラー２１０４から各感光体ドラムに至る各光路長が互いに一致するとともに、各感光体ドラムにおける光束の入射位置及び入射角がいずれも互いに等しくなるように、それぞれ配置されている。
【００６８】
また、シリンドリカルレンズとそれに対応するトロイダルレンズとにより、偏向点とそれに対応する感光体ドラム表面とを副走査方向に共役関係とする面倒れ補正光学系が形成されている。
【００６９】
ポリゴンミラー２１０４と各感光体ドラムとの間の光路上に配置される光学系は、走査光学系とも呼ばれている。本実施形態では、ｆθレンズ２１０５ａとトロイダルレンズ２１０７ａと折り返しミラー（２１０６ａ、２１０８ａ）とからＫステーションの走査光学系が構成されている。また、ｆθレンズ２１０５ｂとトロイダルレンズ２１０７ｂと折り返しミラー（２１０６ｂ、２１０８ｂ）とからＣステーションの走査光学系が構成されている。そして、ｆθレンズ２１０５ｃとトロイダルレンズ２１０７ｃと折り返しミラー（２１０６ｃ、２１０８ｃ）とからＭステーションの走査光学系が構成されている。さらに、ｆθレンズ２１０５ｄとトロイダルレンズ２１０７ｄと折り返しミラー（２１０６ｄ、２１０８ｄ）とからＹステーションの走査光学系が構成されている。
【００７０】
光検知センサ２２０５ａには、ポリゴンミラー２１０４で偏向され、Ｋステーションの走査光学系を介した光束のうち１回の光走査における書き込み開始前の光束の一部が、光検知用ミラー２２０７ａを介して入射する。
【００７１】
光検知センサ２２０５ｂには、ポリゴンミラー２１０４で偏向され、Ｃステーションの走査光学系を介した光束のうち１回の光走査における書き込み開始前の光束の一部が、光検知用ミラー２２０７ｂを介して入射する。
【００７２】
光検知センサ２２０５ｃには、ポリゴンミラー２１０４で偏向され、Ｍステーションの走査光学系を介した光束のうち１回の光走査における書き込み開始前の光束の一部が、光検知用ミラー２２０７ｃを介して入射する。
【００７３】
光検知センサ２２０５ｄには、ポリゴンミラー２１０４で偏向され、Ｙステーションの走査光学系を介した光束のうち１回の光走査における書き込み開始前の光束の一部が、光検知用ミラー２２０７ｄを介して入射する。
【００７４】
各光検知センサはいずれも、受光量に応じた信号（光電変換信号）を出力する。
【００７５】
走査制御装置は、各光検知センサの出力信号に基づいて対応する感光体ドラムでの走査開始タイミングを検出する
【００７６】
光源２２００ａは、一例として図６（Ａ）〜図６（Ｃ）に示されるように、円筒状の本体ａ１、円板状のステムａ２、及び該ステムａ２の−ｗ１側の面から−ｗ１方向に延びる４本のリード端子ａ３を有している。
【００７７】
そして、光源２２００ａは、一例として図７に示されるように、２つの発光部（Ｌ１、Ｌ２）を有している。すなわち、光源２２００ａは、マルチビーム・レーザダイオードである。これら２つの発光部（Ｌ１、Ｌ２）は、本体ａ１内に収容され、ステムａ２上にマウントされている。そして、２つの発光部（Ｌ１、Ｌ２）は、ｗ１方向に直交する平面内で、光源２２００ａの中心を通る直線上にあり、該中心からの距離が互いに等しくなる位置に配置されている。
【００７８】
他の光源（光源２２００ｂ、光源２２００ｃ、光源２２００ｄ）もマルチビーム・レーザダイオードであり、光源２２００ａと同様な構成を有している。
【００７９】
光学ハウジング２３００は、一例として図８に示されるように、コアハウジング１２０とサブハウジング１１０を有している。
【００８０】
コアハウジング１２０は、図９に示されるように、ポリゴンミラー２１０４及び４つのｆθレンズ（２１０５ａ、２１０５ｂ、２１０５ｃ、２１０５ｄ）が収容される平面視長方形状の第１部分と、偏向器前光学系１０２Ａ及び偏向器前光学系１０２Ｂが収容される第２部分とを含む容体である。この容体は、一例としてアルミダイキャスト製である。なお、この容体は、プラスチック成型品であっても良い。
【００８１】
また、この容体の＋Ｙ側の壁面は、ＸＺ面に対して約３０度傾斜した外壁１２０ａ及び外壁１２０ｂを含んでいる。そして、外壁１２０ａには、光源２２００ａ及び光源２２００ｂが取り付けられ、外壁１２０ｂには、光源２２００ｃ及び光源２２００ｄが取り付けられている。
【００８２】
外壁１２０ａの−ｍ１側端部には、−ｗ１方向に延びる側壁１３１が設けられ、＋ｍ１側端部には、−ｗ１方向に延びる側壁１３２が設けられている。
【００８３】
また、外壁１２０ｂの−ｍ２側端部には、−ｗ２方向に延びる側壁１３３が設けられ、＋ｍ２側端部には、−ｗ２方向に延びる側壁１３４が設けられている。
【００８４】
外壁１２０ａには、一例として図１０に示されるように、嵌合部１２１Ａと嵌合部１２１Ｂとが、Ｚ軸方向に離れて形成されている。各嵌合部は、円形の段付き開口部である。ここでは、嵌合部１２１Ｂが、嵌合部１２１Ａの＋Ｚ側に形成されている。
【００８５】
また、嵌合部１２１Ａの−ｍ１側にねじ穴１２２ｂが形成され、嵌合部１２１Ａの＋ｍ１側にねじ穴１２２ｄが形成されている。ｍ１方向に関して、嵌合部１２１Ａの中心とねじ穴１２２ｂの中心との距離は、嵌合部１２１Ａの中心とねじ穴１２２ｄの中心との距離と同じである。ここでは、この距離をＬ１とする（図１２参照）。
【００８６】
嵌合部１２１Ａとねじ穴１２２ｂとねじ穴１２２ｄは、組として用いられ、光源２２００ａを外壁１２０ａに取り付けるためのものである。
【００８７】
さらに、嵌合部１２１Ｂの−ｍ１側にねじ穴１２２ａが形成され、嵌合部１２１Ｂの＋ｍ１側にねじ穴１２２ｃが形成されている。ｍ１方向に関して、嵌合部１２１Ｂの中心とねじ穴１２２ａの中心との距離は、嵌合部１２１Ｂの中心とねじ穴１２２ｃの中心との距離と同じである。ここでは、この距離は、上記Ｌ１と同じである。
【００８８】
嵌合部１２１Ｂとねじ穴１２２ａとねじ穴１２２ｃは、組として用いられ、光源２２００ｂを外壁１２０ａに取り付けるためのものである。
【００８９】
外壁１２０ｂには、一例として図１１に示されるように、嵌合部１２１Ｃと嵌合部１２１Ｄとが、Ｚ軸方向に離れて形成されている。各嵌合部は、円形の段付き開口部である。ここでは、嵌合部１２１Ｃが、嵌合部１２１Ｄの＋Ｚ側に形成されている。
【００９０】
また、嵌合部１２１Ｃの−ｍ２側にねじ穴１２２ｅが形成され、嵌合部１２１Ｃの＋ｍ２側にねじ穴１２２ｇが形成されている。ｍ２方向に関して、嵌合部１２１Ｃの中心とねじ穴１２２ｅの中心との距離は、嵌合部１２１Ｃの中心とねじ穴１２２ｇの中心との距離と同じである。ここでは、この距離は、上記Ｌ１と同じである。
【００９１】
嵌合部１２１Ｃとねじ穴１２２ｅとねじ穴１２２ｇは、組として用いられ、光源２２００ｃを外壁１２０ｂに取り付けるためのものである。
【００９２】
さらに、嵌合部１２１Ｄの−ｍ２側にねじ穴１２２ｆが形成され、嵌合部１２１Ｄの＋ｍ２側にねじ穴１２２ｈが形成されている。ｍ２方向に関して、嵌合部１２１Ｄの中心とねじ穴１２２ｆの中心との距離は、嵌合部１２１Ｄの中心とねじ穴１２２ｈの中心との距離と同じである。ここでは、この距離は、上記Ｌ１と同じである。
【００９３】
嵌合部１２１Ｄとねじ穴１２２ｆとねじ穴１２２ｈは、組として用いられ、光源２２００ｄを外壁１２０ｂに取り付けるためのものである。
【００９４】
４つの嵌合部（１２１Ａ〜１２１Ｄ）は、いずれも同じ形状、同じ大きさであり、外径をＤ１、内径をＤ２とする（図１２参照）。
【００９５】
８つのねじ穴（１２２ａ〜１２２ｈ）は、いずれも同じ大きさであり、外径をＤ３とする（図１２参照）。
【００９６】
側壁１３１は、一例として図１３に示されるように、＋ｍ１側の面にＺ軸方向に伸びる溝が形成されている。そして、Ｚ軸方向に関して、溝の中央付近に棚が設けられている。また、該溝の−Ｚ側端部付近は、＋ｗ１側の側面が階段状となり、溝の幅が狭くなっている。
【００９７】
側壁１３２は、一例として図１４に示されるように、−ｍ１側の面にＺ軸方向に伸びる溝が形成されている。そして、Ｚ軸方向に関して、溝の中央付近に棚が設けられている。また、該溝の−Ｚ側端部付近は、＋ｗ１側の側面が階段状となり、溝の幅が狭くなっている。
【００９８】
側壁１３３は、一例として図１５に示されるように、＋ｍ２側の面にＺ軸方向に伸びる溝が形成されている。そして、Ｚ軸方向に関して、溝の中央付近に棚が設けられている。また、該溝の−Ｚ側端部付近は、＋ｗ２側の側面が階段状となり、溝の幅が狭くなっている。
【００９９】
側壁１３４は、一例として図１６に示されるように、−ｍ２側の面にＺ軸方向に伸びる溝が形成されている。そして、Ｚ軸方向に関して、溝の中央付近に棚が設けられている。また、該溝の−Ｚ側端部付近は、＋ｗ２側の側面が階段状となり、溝の幅が狭くなっている。
【０１００】
各側壁における棚の＋Ｚ側の面（棚面）、及び溝の段部は、後述するバックプレート７２の位置を規定する基準面である。
【０１０１】
図１７には、光源を挟んで外壁にねじ止めされ、該光源を該外壁に押しつけるためのバックプレート７２が示されている。このバックプレート７２は、長方形状の板部材であり、一方の長辺から他方の長辺に向かう３つの切れ込みが設けられている。中央の切れ込み７２２の幅Ｄ５は、前記嵌合部の内径Ｄ２と同程度である。また、両端の切れ込み（７２１、７２３）の幅Ｄ４は、いずれも前記ねじ穴の外径Ｄ３よりやや大きい。
【０１０２】
そして、長手方向に関して、切れ込み７２１の中心と切れ込み７２２の中心との距離は、切れ込み７２３の中心と切れ込み７２２の中心との距離と同じである。この距離は、前記距離Ｌ１と同じである。
【０１０３】
このバックプレート７２は、光源毎に用いられている。ここでは、便宜上、光源２２００ａを外壁１２０ａに押しつけるためのバックプレートをバックプレート７２ａ、光源２２００ｂを外壁１２０ａに押しつけるためのバックプレートをバックプレート７２ｂという。また、光源２２００ｃを外壁１２０ｂに押しつけるためのバックプレートをバックプレート７２ｃ、光源２２００ｄを外壁１２０ｂに押しつけるためのバックプレートをバックプレート７２ｄという。
【０１０４】
ここで、各光源を光学ハウジング２３００に取り付ける方法について説明する。
【０１０５】
（１）光源２２００ａにソケット１４１を装着する。
【０１０６】
ソケット１４１は、一例として図１８に示されるように、樹脂製の円柱形状の部材であり、その中に４本のソケット端子がそれぞれ部分的に埋め込まれている。各ソケット端子は、樹脂に埋め込まれる部分がパイプ状で、樹脂から出ている部分がピン状になっている。そして、パイプ状の部分に光源のリード端子ａ３が挿入され、電気的に接続されるようになっている。また、ソケット１４１の他方の面の中央には、光源のステムに当接される突起部が設けられている。光源２２００ａにソケット１４１が装着されている状態が図１９に示されている。
【０１０７】
（２）外壁１２０ａの嵌合部１２１Ａに光源２２００ａの本体ａ１を挿入する（図２０参照）。
【０１０８】
（３）ねじ穴１２２ｂ及びねじ穴１２２ｄにねじの先端部を螺合させる（図２１参照）。
【０１０９】
（４）ソケット端子を介して光源２２００ａに電力を供給し、光源２２００ａの２つの発光部を点灯させる。
【０１１０】
（５）２つの発光部からの各光束のＺ軸方向に関する間隔（ビームピッチ）を、ＣＣＤカメラやポジションセンサなどの計測機器を用いて計測しつつ、ｗ１方向に直交する面内でソケット１４１を回動させる。このとき、光源２２００ａは、その中心を通り、ｗ１方向に平行な軸回りに回動する。
【０１１１】
例えば、光源２２００ａを、図２２（Ａ）に示される状態から角度α回転させると、図２２（Ｂ）に示されるように、２つの発光部（Ｌ１、Ｌ２）のＺ軸方向に関する距離を、ｄ１からｄ２に変化させることができる。これにより、光源２２００ａから射出される２つの光束のビームピッチが短くなる。
【０１１２】
（６）計測機器の計測値が、所望のビームピッチに対応する値になると、ソケット１４１の回動を止める。
【０１１３】
（７）図２３に示されるように、バックプレート７２ａを、側壁１３１及び側壁１３２の溝をガイドとして、紙面下から上に（＋Ｚ方向に）向かって挿入する。そして、側壁の棚によって＋Ｚ方向への移動が阻止されると（図２４（Ａ）参照）、＋ｗ１方向に移動させ、段部に載置する（図２４（Ｂ）、図２５参照）。これにより、バックプレート７２ａの位置決めがなされる。
【０１１４】
バックプレート７２ａが所定位置に装着されたときの状態が図２６に示されている。また、図２６のＡ−Ａ断面図が図２７に示されている。光源２２００ａのリード端子とバックプレート７２ａとは非接触である。また、図２６のＢ−Ｂ断面図が図２８に示されている。ねじとバックプレート７２ａとは非接触である。
【０１１５】
（８）各ねじをさらにねじ穴に螺合する。これにより、バックプレート７２ａは、光源２２００ａを挟んで外壁１２０ａにねじ止めされ、光源２２００ａを外壁１２０ａに押しつける。ここでは、バックプレート７２ａは、光源２２００ａのステムａ２に対して面接触している。また、バックプレート７２ａにおけるステムａ２との接触部は、光源２２００ａの中心を通り、Ｚ軸方向に平行な軸に対して対称である。
【０１１６】
（９）ソケット１４１を光源２２００ａから取り外す（図２９参照）。これにより、光源２２００ａの取り付けが完了する。
【０１１７】
（１０）光源２２００ｂにソケット１４１を装着する。
【０１１８】
（１１）外壁１２０ａの嵌合部１２１Ｂに光源２２００ｂの本体ａ１を挿入する（図３０参照）。
【０１１９】
（１２）ねじ穴１２２ａ及びねじ穴１２２ｃにねじの先端部を螺合させる（図３１参照）。
【０１２０】
（１３）光源２２００ａと同様にして、光源２２００ｂから射出される２つの光束のビームピッチが所定のビームピッチとなるように、光源２２００ｂの角度調整を行う。
【０１２１】
（１４）図３２に示されるように、バックプレート７２ｂを、側壁１３１及び側壁１３２の溝をガイドとして、紙面上から下に（−Ｚ方向に）向かって挿入する。そして、側壁の棚に載置する（図３３及び図３４参照）。これにより、バックプレート７２ｂの位置決めがなされる。
【０１２２】
バックプレート７２ｂが所定位置に装着されたときの状態が図３５に示されている。また、図３５のＡ−Ａ断面図が図３６に示されている。光源２２００ｂのリード端子とバックプレート７２ｂとは非接触である。また、図３５のＢ−Ｂ断面図が図３７に示されている。ねじとバックプレート７２ｂとは非接触である。
【０１２３】
（１５）各ねじをさらにねじ穴に螺合する。これにより、バックプレート７２ｂは、光源２２００ｂを挟んで外壁１２０ａにねじ止めされ、光源２２００ｂを外壁１２０ａに押しつける。ここでは、バックプレート７２ｂは、光源２２００ｂのステムａ２に対して面接触している。また、バックプレート７２ｂにおけるステムａ２との接触部は、光源２２００ｂの中心を通り、Ｚ軸方向に平行な軸に対して対称である。
【０１２４】
（１６）ソケット１４１を光源２２００ｂから取り外す（図３８参照）。これにより、光源２２００ｂの取り付けが完了する。
【０１２５】
（１７）同様にして、光源２２００ｃ及び光源２２００ｄを外壁１２０ｂに取り付ける（図３９参照）。
【０１２６】
これにより、４つの光源の光学ハウジング２３００への取り付けが完了する。
【０１２７】
図８に戻り、サブハウジング１１０は、Ｙ軸方向に対向している一対の側板（１１１、１１２）と、これらの側板を連結する５つの連結部材１１３を有している。各側板は、それらの長手方向がＸ軸方向と一致するように配置されている。
【０１２８】
各側板は、例えば金属板を板金加工することにより製作されている。そして、各側板には、複数の開口部が形成されている。また、側板１１２の中央部には矩形状の切り欠き部が形成され、該切り欠き部には側板１１２の一部が水平に折り曲げられた折り曲げ部１１２ａが形成されている。
【０１２９】
連結部材１１３は、断面形状がＵ字状の長尺部材であり、Ｙ軸方向の両端部がそれぞれ側板に固定されている。これにより、側板１１１と側板１１２は平行状態で連結される。
【０１３０】
サブハウジング１１０には、４つのトロイダルレンズ（２１０７ａ、２１０７ｂ、２１０７ｃ、２１０７ｄ）、８つの折り返しミラー（２１０６ａ、２１０６ｂ、２１０６ｃ、２１０６ｄ、２１０８ａ、２１０８ｂ、２１０８ｃ、２１０８ｄ）、４つの光検知センサ（２２０５ａ、２２０５ｂ、２２０５ｃ、２２０５ｄ）、４つの光検知用ミラー（２２０７ａ、２２０７ｂ、２２０７ｃ、２２０７ｄ）などが保持される。
【０１３１】
そして、コアハウジング１２０の下面が折り曲げ部１１２ａに支持され、更にコアハウジング１２０の−Ｙ側の側面が側板１１１にボルト等で固定される。これにより、コアハウジング１２０とサブハウジング１１０は、一体化される（図４０参照）。
【０１３２】
以上の説明から明らかなように、本実施形態に係る光走査装置２０１０では、各偏向器前光学系とポリゴンミラー２１０４と各走査光学系とによって本発明の光学系が構成されている。
【０１３３】
また、外壁１２０ａと光源（２２００ａ、２２００ｂ）と側壁（１３１、１３２）とバックプレート（７２ａ、７２ｂ）とによって本発明の光源装置が構成されている。
【０１３４】
また、外壁１２０ｂと光源（２２００ｃ、２２００ｄ）と側壁（１３３、１３４）とバックプレート（７２ｃ、７２ｄ）とによって本発明の光源装置が構成されている。
【０１３５】
また、外壁１２０ａ及び外壁１２０ｂによって、本発明の光源装置における保持板が構成されている。すなわち、本実施形態では、保持板は光学ハウジングと一体化されている。
【０１３６】
以上説明したように、本実施形態に係る光走査装置２０１０によると、それぞれ複数の発光部を有する４つの光源（２２００ａ、２２００ｂ、２２００ｃ、２２００ｄ）、４つの光源からの各光束をそれぞれ対応する感光体ドラムの表面に集光するとともに、該感光体ドラムの表面の光スポットを主走査方向に移動させる光学系、及び光学系が収容される光学ハウジング２３００などを備えている。
【０１３７】
光学ハウジング２３００の外壁１２０ａには、光源２２００ａを取り付けるための、嵌合部１２１Ａ及び２つのねじ穴（１２２ｂ、１２２ｄ）が形成され、光源２２００ｂを取り付けるための、嵌合部１２１Ｂ及び２つのねじ穴（１２２ａ、１２２ｃ）が形成されている。
【０１３８】
また、光学ハウジング２３００の外壁１２０ｂには、光源２２００ｃを取り付けるための、嵌合部１２１Ｃ及び２つのねじ穴（１２２ｅ、１２２ｇ）が形成され、光源２２００ｄを取り付けるための、嵌合部１２１Ｄ及び２つのねじ穴（１２２ｆ、１２２ｈ）が形成されている。
【０１３９】
そして、光源２２００ａを挟んで外壁１２０ａにねじ止めされ、光源２２００ａを外壁１２０ａに押しつけるためのバックプレート７２ａ、光源２２００ｂを挟んで外壁１２０ａにねじ止めされ、光源２２００ｂを外壁１２０ａに押しつけるためのバックプレート７２ｂを有している。
【０１４０】
また、光源２２００ｃを挟んで外壁１２０ｂにねじ止めされ、光源２２００ｃを外壁１２０ｂに押しつけるためのバックプレート７２ｃ、光源２２００ｄを挟んで外壁１２０ｂにねじ止めされ、光源２２００ｄを外壁１２０ｂに押しつけるためのバックプレート７２ｄを有している。
【０１４１】
各バックプレートには、着脱する際に、ねじの締結方向に直交する一の方向（ここでは、Ｚ軸方向）にスライドさせるための３つの切れ込みが設けられている。該３つの切れ込みは、スライドの際に、光源との干渉を避けるための切れ込み（光源用切れ込み）７２２と、２つのねじ穴のそれぞれに一部が螺合された２つのねじとの干渉を避けるための２つの切れ込み（ねじ用切れ込み）（７２１、７２３）とからなっている。
【０１４２】
この場合は、嵌合部に光源が嵌合され、同じ組の２つのねじ穴のそれぞれにねじの一部が螺合された状態で、バックプレートを装着することができる。
【０１４３】
そこで、バックプレートを外壁にねじ止めする際に、バックプレートにねじがあたることを防止することができる。そのため、ねじの回転に伴う光源の連れ回しを防ぐことができ、光源の狙いではない（不要な）回転を抑制することができる。
【０１４４】
すなわち、光源から射出される複数の光束のビームピッチを容易に精度良く調整することが可能である。
【０１４５】
また、ねじ穴１２２ｂは、嵌合部１２１Ａの−ｍ１側に形成され、ねじ穴１２２ｄは、嵌合部１２１Ａの＋ｍ１側に形成されている。ｍ１方向は、バックプレート７２ａが着脱時にスライドされる方向であるＺ軸方向に直交している。この場合は、短い摺動距離でねじ締めを完了することができ、作業時間を短縮することができる。
【０１４６】
また、ねじ穴１２２ａは、嵌合部１２１Ｂの−ｍ１側に形成され、ねじ穴１２２ｃは、嵌合部１２１Ｂの＋ｍ１側に形成されている。ｍ１方向は、バックプレート７２ｂが着脱時にスライドされる方向であるＺ軸方向に直交している。この場合は、短い摺動距離でねじ締めを完了することができ、作業時間を短縮することができる。
【０１４７】
また、ねじ穴１２２ｅは、嵌合部１２１Ｃの−ｍ２側に形成され、ねじ穴１２２ｇは、嵌合部１２１Ｃの＋ｍ２側に形成されている。ｍ２方向は、バックプレート７２ｃが着脱時にスライドされる方向であるＺ軸方向に直交している。この場合は、短い摺動距離でねじ締めを完了することができ、作業時間を短縮することができる。
【０１４８】
また、ねじ穴１２２ｆは、嵌合部１２１Ｄの−ｍ２側に形成され、ねじ穴１２２ｈは、嵌合部１２１Ｄの＋ｍ２側に形成されている。ｍ２方向は、バックプレート７２ｄが着脱時にスライドされる方向であるＺ軸方向に直交している。この場合は、短い摺動距離でねじ締めを完了することができ、作業時間を短縮することができる。
【０１４９】
また、本実施形態では、装着時に、バックプレートとステムとが面接触している。この場合は、ねじ締めの際の衝撃が抑えられ、角度調整された光源の回転を更に抑えることができる。
【０１５０】
また、本実施形態では、バックプレートにおけるステムとの接触部は、光源の中心を通り、Ｚ軸方向に平行な軸に対して対称である。この場合は、光源に外力を作用させることなくバックプレートを装着することができる。そして、角度調整された光源の回転を更に抑えることができる。
【０１５１】
また、本実施形態では、バックプレートを装着する際に、側壁の溝を案内に用いている。この場合は、より安定的に、光源に外力を作用させることなくバックプレートを装着することができる。
【０１５２】
また、本実施形態では、側壁の溝にバックプレートの位置決め用の面が設けられている。この場合は、簡単にバックプレートを所定の位置に装着することができる。また、位置決め用の治具が不要となる。そこで、部品点数を削減することができる。
【０１５３】
また、本実施形態では、２つの光源が副走査対応方向に近接して配置されているため、装置の小型化を図ることができる。
【０１５４】
また、本実施形態に係るカラープリンタ２０００によると、光走査装置２０１０を備えているため、結果として高品質の画像を形成することができる。
【０１５５】
なお、上記実施形態では、バックプレートが側壁の溝に設けられた棚に載置される場合について説明したが、これに限定されるものではない。例えば、バックプレートの切れ込みにフックを設け、該フックを光源のステムに引っ掛けることによりバックプレートを支持しても良い。この場合に、フックにおけるステムとの接触面をバックプレートの位置を規定するための基準面としても良い。また、光源とソケットとによってバックプレートが保持されても良い。
【０１５６】
また、上記実施形態では、バックプレートを所定位置に挿入する際に、バックプレートが側壁の溝に案内される場合について説明したが、これに限定されるものではない。例えば、少なくとも一方の側壁に溝がなくても良い。
【０１５７】
また、上記実施形態では、バックプレートをＺ軸方向にスライドさせる場合について説明したが、これに限定されるものではない。但し、スライドさせる方向に応じて、切れ込みを設ける必要がある。
【０１５８】
また、上記実施形態では、ステムとバックプレートが面接触する場合について説明したが、これに限定されるものではなく、例えば、線接触あるいは点接触であっても良い。
【０１５９】
また、上記実施形態では、バックプレートが側壁に保持される場合について説明したが、これに限定されるものではない。例えば、バックプレートに保持用の切り欠きを設け、該切り欠きに係合される保持用治具を備えても良い。該保持用治具は、バックプレートがねじ止めされた後、取り外される。
【０１６０】
また、上記実施形態では、各側壁が外壁に固定されている場合について説明したが、これに限定されるものではない。
【０１６１】
また、上記実施形態では、バックプレートとリード端子は非接触であるが、例えば、金属部品がバックプレートとリード端子とに同時に接触する場合を想定し、光源の損傷を回避するため、バックプレートの素材を絶縁材料とすることが好ましい。
【０１６２】
また、上記実施形態では、側壁の溝を直線状としたが、バックプレートをねじ止めする際に干渉する場合は、バックプレートの移動方向に溝を拡げても良い（図４１〜図４４参照）。
【０１６３】
また、上記実施形態では、光学ハウジングの外壁に光源が取り付けられる場合について説明したが、光学ハウジングとは別の板状部材に光源が取り付けられても良い。この場合は、板状部材が光学ハウジングの所定位置に固定される。
【０１６４】
なお、上記実施形態では、光源が４つの場合について説明したが、これに限定されるものではない。例えば、光源２２００ａと光源２００ｂの２つのみを有していても良い。但し、この場合には、感光体ドラムの数も１つ又は２つとなる。
【０１６５】
また、上記実施形態では、各光源が２つの発光部を有する場合について説明したが、これに限定されるものではない。要するに、各光源が複数の発光部を有していれば良い。
【０１６６】
また、上記実施形態では、光学ハウジングが、コアハウジング１２０とサブハウジング１１０とを有する場合について説明したが、これに限らず、コアハウジングとサブハウジングとが一体的に構成された光学ハウジングであっても良い。
【０１６７】
また、上記実施形態では、画像形成装置として、複数の感光体ドラムを備えたカラープリンタ２０００の場合について説明したが、これに限らず、例えば１つの感光体ドラムを複数の光束で走査し、単色の画像を形成するプリンタにも適用することができる。
【０１６８】
また、上記実施形態では、光走査装置２０１０がプリンタに用いられる場合について説明したが、プリンタ以外の画像形成装置、例えば、複写機、ファクシミリ、又は、これらが集約された複合機にも好適である。
【産業上の利用可能性】
【０１６９】
以上説明したように、本発明の光源装置によれば、光源から射出される複数の光束のビームピッチを精度良く調整するのに適している。本発明の光走査装置によれば、高精度の光走査を行うのに適している。また、本発明の画像形成装置によれば、高品質の画像を形成するのに適している。
【符号の説明】
【０１７０】
７２…バックプレート（留め板）、１０２Ａ…偏向器前光学系（光学系の一部）、１０２Ｂ…偏向器前光学系（光学系の一部）、１２０ａ…外壁（保持板）、１２０ｂ…外壁（保持板）、１２１Ａ〜１２１Ｄ…嵌合部（開口部）、１３１…側板（第１の溝部材）、１３２…側板（第２の溝部材）、１３３…側板（第１の溝部材）、１３４…側板（第２の溝部材）、２０００…カラープリンタ（画像形成装置）、２０１０…光走査装置、２０３０ａ〜２０３０ｄ…感光体ドラム（像担持体）、２１０４…ポリゴンミラー（光学系の一部）、２１０５ａ〜２１０５ｄ…ｆθレンズ（光学系の一部）、２１０６ａ〜２１０６ｄ…折り返しミラー（光学系の一部）、２１０７ａ〜２１０７ｄ…トロイダルレンズ（光学系の一部）、２１０８ａ〜２１０８ｄ…折り返しミラー（光学系の一部）、２２００ａ〜２２００ｄ…光源、２３００…光学ハウジング、Ｌ１…発光部、Ｌ２…発光部。
【先行技術文献】
【特許文献】
【０１７１】
【特許文献１】特許第３６６８０５３号公報
【特許文献２】特開２００２−１８２１４１号公報
【図１】
2011053497.tif 000003
【図２】
2011053497.tif 000004
【図３】
2011053497.tif 000005
【図４】
2011053497.tif 000006
【図５】
2011053497.tif 000007
【図６】
2011053497.tif 000008
【図７】
2011053497.tif 000009
【図８】
2011053497.tif 000010
【図９】
2011053497.tif 000011
【図１０】
2011053497.tif 000012
【図１１】
2011053497.tif 000013
【図１２】
2011053497.tif 000014
【図１３】
2011053497.tif 000015
【図１４】
2011053497.tif 000016
【図１５】
2011053497.tif 000017
【図１６】
2011053497.tif 000018
【図１７】
2011053497.tif 000019
【図１８】
2011053497.tif 000020
【図１９】
2011053497.tif 000021
【図２０】
2011053497.tif 000022
【図２１】
2011053497.tif 000023
【図２２】
2011053497.tif 000024
【図２３】
2011053497.tif 000025
【図２４】
2011053497.tif 000026
【図２５】
2011053497.tif 000027
【図２６】
2011053497.tif 000028
【図２７】
2011053497.tif 000029
【図２８】
2011053497.tif 000030
【図２９】
2011053497.tif 000031
【図３０】
2011053497.tif 000032
【図３１】
2011053497.tif 000033
【図３２】
2011053497.tif 000034
【図３３】
2011053497.tif 000035
【図３４】
2011053497.tif 000036
【図３５】
2011053497.tif 000037
【図３６】
2011053497.tif 000038
【図３７】
2011053497.tif 000039
【図３８】
2011053497.tif 000040
【図３９】
2011053497.tif 000041
【図４０】
2011053497.tif 000042
【図４１】
2011053497.tif 000043
【図４２】
2011053497.tif 000044
【図４３】
2011053497.tif 000045
【図４４】
2011053497.tif 000046